(57)【要約】【課題】過去に表示された画面のうち特定の画面を選択的に履歴画面として表示することで、ユーザにとってより利便性の高い電気機器を提供する。【解決手段】ドキュメントボックス、送信、コピーの３つの機能を有する複合機において、履歴に含まれる設定画面のうち、現在指定されている機能についての設定画面のみを、履歴画面Ｂ２として表示する。【選択図】図１８
2009182915.tif 000002
【特許請求の範囲】
【請求項１】
複数の機能を有し、上記複数の機能には互いに組み合わせられない機能が含まれる電気機器であって、
ユーザに画面を表示する表示部と、
上記複数の機能の設定をそれぞれ受け付けるための複数の画面から選択される画面を、設定画面として上記表示部に表示させる設定画面制御部と、
上記複数の機能から実行される機能を指定する機能指定部と、
過去に上記設定画面として表示された画面を、履歴画面として上記表示部に表示させると共に、現在指定されている機能と組み合わせられない機能のみについての設定画面を、履歴画面として表示させないようになっている履歴画面制御部と、
を備える、電気機器。
【請求項２】
上記履歴画面制御部は、上記履歴画面を、ユーザにより選択可能に、上記表示部に表示させる請求項１に記載の電気機器。
【請求項３】
複数の機能をそれぞれ含む複数の機能群を有し、各機能群に含まれる機能は、他の機能群に含まれる機能と組み合わせ不可能であり、少なくとも１の機能群中に、同一の機能群に属する他の機能と組み合わせ不可能な機能が存在する機能電気機器であって、
ユーザに画面を表示する表示部と、
上記複数の機能の設定をそれぞれ受け付ける複数の画面から選択される画面を、設定画面として上記表示部に表示させる設定画面制御部と、
上記複数の機能から実行される機能を指定する機能指定部と、
過去に上記設定画面として表示された画面を、履歴画面として上記表示部に表示させると共に、現在指定されている機能と異なる機能群に属する機能のみについての設定画面を、履歴画面として表示させないようになっている履歴画面制御部と、
を備える、電気機器。
【請求項４】
上記履歴画面制御部は、現在指定されている機能と組み合わせ可能な機能についての履歴画面を、ユーザにより選択可能に、現在指定されている機能と組み合わせ不可能な機能についての履歴画面を、ユーザにより選択できないように、上記表示部に表示させる請求項３に記載の電気機器。
【請求項５】
上記設定画面制御部は、ユーザにより選択された上記履歴画面に対応する画面を、設定画面として、上記表示部に表示させるようになっている請求項２又は４に記載の電気機器。
【請求項６】
上記履歴画面制御部は、上記設定画面と同時に上記履歴画面を上記表示部に表示させるようになっており、
ユーザの操作を受け、上記表示部に現在表示されている設定画面を他の画面に切り換える指示を受け付ける切換受付部をさらに備え、
上記設定画面制御部は、上記切換受付部が一回操作される毎に、表示中の設定画面を他の設定画面に１回切り換えるようになっており、
上記履歴画面制御部は、上記切換受付部への１以下の操作によって設定画面として表示される画面を、履歴画面として表示しないようになっている請求項５に記載の電気機器。
【請求項７】
上記履歴画面制御部は、複数の履歴画面を同時に上記表示部に表示させることができるようになっていると共に、同時に表示される複数の履歴画面中、同一の画面の数を１とするようになっている請求項１〜６のいずれか１項に記載の電気機器。
【請求項８】
ユーザを認証するユーザ認証部をさらに備え、
上記履歴画面制御部は、現在操作中のユーザの過去の操作において表示された画面を、履歴画面として上記表示部に表示させるようになっている請求項１〜７のいずれか１項に記載の電気機器。
【請求項９】
コンピュータを、請求項１〜８のいずれか１項に記載の履歴画面制御部として機能させるプログラム。
【発明の詳細な説明】
【技術分野】
【０００１】
本発明は、ユーザに画面を提示することのできる電気機器に関するものであり、特に、複数の機能を実行可能であり、この複数の機能に互いに組み合わせられない機能が含まれる電気機器に関する。
【背景技術】
【０００２】
従来、画面を表示することでユーザに種々の情報を伝えると共に、ユーザから指示を受けて動作する多様な電気機器が提案されている。このような電気機器としては、ユーザからの指示に応じて次々に表示画面を切り換えるものがある。
【０００３】
このような電気機器として、特許文献１には、タッチパネルが装着された表示器を備える画面検索装置が記載されている。この画面検索装置は、表示器上の一部の領域に、過去の履歴画面が縮小表示されるようになっている。
【特許文献１】特開平5-120350号公報（1993年5月18日公開）
【発明の開示】
【発明が解決しようとする課題】
【０００４】
しかし、上記従来の技術では、表示された画面が順番に履歴に追加されて、履歴画面として表示されるので、不要な画面も履歴として表示される。履歴を表示するための表示画面上におけるスペースは有限であるから、このように不要な画面の履歴が表示されると、現在設定中の機能についての画面の履歴が表示されないことがある。具体的に、コピー及び送信等、同時に実行できない複数の機能を有する画像処理装置を例に挙げる。画像処理装置では、コピーについての設定を行っている間は、送信機能についての設定を行うための画面は必要ない。しかし、上記従来の技術では、コピー機能について設定中でも、履歴としては送信機能についての画面のみが表示される、ということがあり得る。
【０００５】
そこで、本発明は、選択的に履歴を表示することによって、ユーザにとってより利便性の高い電気機器等を提供することを目的とする。
【課題を解決するための手段】
【０００６】
請求項１の電気機器は、複数の機能を有し、上記複数の機能には互いに組み合わせられない機能が含まれる電気機器であって、ユーザに画面を表示する表示部と、上記複数の機能の設定をそれぞれ受け付けるための複数の画面から選択される画面を、設定画面として上記表示部に表示させる設定画面制御部と、上記複数の機能から実行される機能を指定する機能指定部と、過去に上記設定画面として表示された画面を、履歴画面として上記表示部に表示させると共に、現在指定されている機能と組み合わせられない機能のみについての設定画面を、履歴画面として表示させないようになっている履歴画面制御部と、を備える。
【０００７】
この電気機器によると、設定画面のうち、現在指定されている機能と組み合わせられる機能についての画面のみが、履歴画面として表示される。よって、上記電気機器は、不要な履歴の表示を避けることができ、ユーザにとっては利便性が高い。
【０００８】
また、請求項２に記載するように、請求項１の電気機器において、上記履歴画面制御部は、上記履歴画面を、ユーザにより選択可能に、上記表示部に表示させるようになっていてもよい。
【０００９】
請求項３に記載するように、複数の機能をそれぞれ含む複数の機能群を有し、各機能群に含まれる機能は、他の機能群に含まれる機能と組み合わせ不可能であり、少なくとも１の機能群中に、同一の機能群に属する他の機能と組み合わせ不可能な機能が存在する機能電気機器であって、ユーザに画面を表示する表示部と、上記複数の機能の設定をそれぞれ受け付ける複数の画面から選択される画面を、設定画面として上記表示部に表示させる設定画面制御部と、上記複数の機能から実行される機能を指定する機能指定部と、過去に上記設定画面として表示された画面を、履歴画面として上記表示部に表示させると共に、現在指定されている機能と異なる機能群に属する機能のみについての設定画面を、履歴画面として表示させないようになっている履歴画面制御部と、を備える、電気機器も、本発明の技術的範囲に含まれる。
【００１０】
この電気機器も、不要な履歴の表示を避けることができるので、ユーザにとっては利便性が高い。
【００１１】
また、請求項４に記載するように、請求項３の電気機器において、上記履歴画面制御部は、現在指定されている機能と組み合わせ可能な機能についての履歴画面を、ユーザにより選択可能に、現在指定されている機能と組み合わせ不可能な機能についての履歴画面を、ユーザにより選択できないように、上記表示部に表示させるようになっていてもよい。
【００１２】
また、請求項５に記載するように、請求項２又は４の電気機器において、上記設定画面制御部は、ユーザにより選択された上記履歴画面に対応する画面を、設定画面として上記表示部に表示させるようになっていることが好ましい。
【００１３】
この電気機器は、履歴画面のうち、ユーザが選択した画面を設定画面として表示することができ、さらに、ユーザが選択可能なのは、現在指定されている機能と組合せ可能な機能についての設定画面のみなので、ユーザが所望する設定画面を、より早く表示させることが可能となる。
【００１４】
請求項６に記載するように、請求項５の電気機器において、上記履歴画面制御部は、上記設定画面と同時に上記履歴画面を上記表示部に表示させるようになっており、ユーザの操作を受け、上記表示部に現在表示されている設定画面を他の画面に切り換える指示を受け付ける切換受付部をさらに備え、上記設定画面制御部は、上記切換受付部が一回操作される毎に、表示中の設定画面を他の設定画面に１回切り換えるようになっており、上記履歴画面制御部は、上記切換受付部への１以下の操作によって設定画面として表示される画面を、履歴画面として表示しないようになっていることが好ましい。
【００１５】
切換受付部への操作に基づけば表示するのに２以上の操作を要する設定画面も、履歴画面をユーザが選択するという１回の操作により表示され得る。これに対して、切換受付部への１回以下の操作で表示される設定画面は、履歴画面を介した操作により表示されても、その操作数は低減されない。この電気機器は、このように２以上の操作を要する設定画面を選択的に表示することで、操作数をより低減させることができる。
【００１６】
請求項７に記載するように、請求項１〜６のいずれか１項の電気機器において、上記履歴画面制御部は、複数の履歴画面を同時に上記表示部に表示させることができるようになっていると共に、同時に表示される複数の履歴画面中、同一の画面の数を１とするようになっていることが好ましい。
【００１７】
この電気機器は、同一の画面については履歴画面の表示数を１とすることで、より多様な履歴画面を表示することができる。
【００１８】
また、請求項８に記載するように、ユーザを認証するユーザ認証部をさらに備え、上記履歴画面制御部は、現在操作中のユーザの過去の操作において表示された画面を、履歴画面として上記表示部に表示させるようになっている請求項１〜７のいずれか１項に記載の電気機器。
【００１９】
また、請求項９に記載するように、コンピュータを、請求項１〜８のいずれか１項に記載の履歴画面制御部として機能させるプログラムも、本発明の技術的範囲に含まれる。
【発明の効果】
【００２０】
本発明によると、不要な履歴の表示数が低減されるため、ユーザにとっては利便性が高い。
【発明を実施するための最良の形態】
【００２１】
〔１〕第一実施形態
本発明の実施の一形態である複合機１について、以下、図面を参照して説明する。
【００２２】
（1-1）複合機１の概要
図１は、本実施形態に係る複合機１のブロック図である。複合機１は、複写機、プリンタ、ファクシミリ装置、及びスキャナ装置等としての機能を併せ持つ。また、上述した各機能は、さらに集約機能や両面コピー機能等の複数の機能を含む。
【００２３】
複合機１は、具体的には、図１に示すように、原稿読取部２１、画像形成部２２、通信部２３、ドキュメントボックス２４、履歴記憶部２５、カード読取部３１、操作盤３２、ＣＰＵ（Central Processing Unit）４１、ＲＡＭ４２、ＲＯＭ４３等を備える。複合機１内の各部はバスで接続されており、互いに信号の送受信を行うようになっている。
【００２４】
原稿読取部２１は、稿上の画像を読み取って画像データを得ることができる。原稿読取部２１は、例えば、光源及びＣＣＤ（Charge Coupled Device）等により構成され、写真又は文書等の原稿を光学的に走査して反射光や透過光を検出し、検出した信号をデジタル信号に変換する。このようにして、原稿読取部２１は、デジタル信号として画像データを取得する。なお、本明細書において、「画像」とは文字を含む。つまり、「画像データ」とは文字データを含む。
【００２５】
画像形成部２２は、上記原稿読取部２１が得た画像データ又は下記通信部２３が外部装置から得た画像データを用紙等の記録媒体上に形成する。画像形成部２２としては、例えば電子写真方式又はインクジェット方式等の印刷機構を好適に利用することができる。また画像形成部２２は、印刷機構だけでなく、印刷後の用紙にステープル処理を施したりソートを行ったりするフィニッシャを含む。
【００２６】
通信部２３は、外部装置、例えばファクシミリ装置及びＰＣ（Personal computer）等と通信を行い、情報の送受信を行う。この情報には、画像データ及び制御データが含まれる。具体的には、通信部２３は、モデム（ＭＯＤＥＭ：MOdulator/DEModulator）又はターミナルアダプタ（ＴＡ：Terminal Adapter）等を備える。通信部２３は、電話回線、ＩＳＤＮ回線、無線通信回線、専用線、若しくはＣＡＴＶ回線等の通信回線を介し、又はＬＡＮ、ＷＡＮ、若しくはインターネット等のネットワークを介して、外部機器との通信を行う。また、通信部２３は、Ｇ３（Group3）規格やＧ４（Group4）規格等に準拠してファクシミリの送受信を行うことができる。
【００２７】
ドキュメントボックス２４には、原稿読取部２１が得た画像データ、通信部２３が外部装置から受け取ったデータ等が格納される。ドキュメントボックス２４は、ＨＤＤ（Hard Disk Drive）等の記憶装置で構成される。
【００２８】
履歴記憶部２５は、画面の表示の履歴、特に後述の設定画面（図７の画面５２等）の履歴を記憶する。履歴記憶部２５は、画面の表示の履歴を、その画面が表示されたときに操作を行っていたユーザ、又はそのユーザの属する部門等と関連付けて記憶することができる。履歴の管理についての詳細は後述する。
【００２９】
カード読取部３１は、ユーザの有するカードから、部門コード、個人ＩＤ、及び管理者コード等を読み取ることができる。「部門」とは、１人以上、好ましくは複数のユーザからなるグループである。各部門にはそれぞれ互いに異なる部門コードが与えられる。また、「個人ＩＤ」は、ユーザ個人に付与されるコードである。そして、管理者コードは、管理者であるユーザにのみ付与されるコードである。
【００３０】
操作盤３２はタッチパネル３３とハードキー３４とを備える。操作盤３２の平面図を図３に示す。
【００３１】
タッチパネル３３は、表示部３３ａとタッチセンサ３３ｂとを備える。
【００３２】
表示部３３ａは、種々の画面をユーザに向けて表示することができればよく、その構成は特に限定されない。表示部３３ａとしては、例えば、液晶表示装置等の従来公知の表示装置を用いることができる。
【００３３】
タッチセンサ３３ｂはユーザがソフトキーを押下したことを検知し、ＣＰＵ４１に伝える。このように、タッチパネル３３は、ソフトキーを介してユーザから様々な情報及び指示を受け付けることができる。
【００３４】
ハードキー３４は、押下されることで種々の情報及び指示をユーザから受け付けることができる。ハードキー３４は、機能選択キー３４ａ、テンキー３４ｂ、スタートキー３４ｃ、リセットキー３４ｄ等を備える。機能選択キー３４ａは、コピー選択キー３５、送信選択キー３６、及びボックス選択キー３７を備える。コピー選択キー３５はコピー機能に対応し、送信選択キー３６は外部装置にデータを送信する機能に対応し、ボックス選択キー３７は、ドキュメントボックス２４にデータを記憶するボックス機能に対応する。テンキー３４ｂは数字の入力を受け付けるためのキー群である。スタートキー３４ｃは、コピー、データの送信、原稿の読み取り等を実行するようにとの最終的な指示をユーザから受け付けるキーである。リセットキー３４ｄは、設定値を初期状態に戻すようにとの指示を受け付けるキーである。
【００３５】
ＣＰＵ４１は、複合機１を構成する各部の動作等を制御する。具体的には、ＲＯＭ４３等に格納された複合機１の各部の動作に関する各種制御プログラム、制御データ、又は複合機１中の各部からの情報に基づいて処理を実行し、複合機１の各部に対して制御信号を出力することにより、複合機１の動作を制御する。ＣＰＵ４１は特に、機能指定部４１ａ、画像形成制御部４１ｂ、表示制御部４１ｃ、ユーザ認証部４１ｄ、及び履歴管理部４１ｅ等として機能する。
【００３６】
機能指定部４１ａは、複合機１の実行可能な機能、例えばファクシミリ装置等の通信装置としての機能（送信機能）、コピー機としての機能（コピー機能）、データを記憶する記憶装置としての機能（ボックス機能）、プリンタとしての機能（プリンタ機能）、のうちから、ユーザの選択に基づいて実行する機能を指定する。これらの機能は、それぞれが複数の機能を含むいわば機能群である。例えば、機能群の１つであるコピー機能には、集約、ページ付け、及びステープル等の複数の機能が含まれる。また、機能指定部４１ａは、機能群を指定すると共に、機能群に含まれるより具体的な機能の指定も行うことができる。
【００３７】
画像形成制御部４１ｂは、機能指定部４１ａの指定に基づいて、画像形成部２２を制御する。画像形成制御部４１ｂにより画像形成部２２が制御されることにより、プリンタ機能及びコピー機能が実現される。また、ＣＰＵ４１は他にも、原稿読取部２１を制御して原稿を読み取らせたり、通信部２３を制御して外部装置との間で画像データの送受信を行ったり、ドキュメントボックス２４内に画像データを格納させたりすることができる。
【００３８】
表示制御部４１ｃは、タッチパネル３３を制御して、種々の画面を表示させる。また、ハードキー３４及び画面に含まれるソフトキーの押下に応じて、画面を切り換えることができる。表示制御部４１ｃは、特に、設定画面制御部４５及び履歴画面制御部４６を供える。各部の詳細については後述する。
【００３９】
ユーザ認証部４１ｄは、ユーザを認証する認証部として機能することができる。「ユーザを認証する」とは、カード読取部３１がカード読み取って得た上述の各コードに基づいて、そのカードを有するユーザの属する部門、又はユーザ個人を同定したり、ユーザが管理者か否かを判断したりすることを含む。なお、ＣＰＵ４１は、カード読取部３１から送られるデータに基づいてユーザ認証を行う以外に、操作盤３２等の他の機能部がユーザから受け付けたコード又はパスワード等に基づいて、同様のユーザ認証を行うこともできる。ユーザが入力したコード等が既に記憶されているコード等と一致するとユーザ認証部４１ｄが判断すれば、そのユーザはログインを許され、さらなる操作が可能となる。
【００４０】
履歴管理部４１ｅは、履歴記憶部２５における履歴の管理を行う。詳細については後述する。
【００４１】
ＲＡＭ４２は、ＣＰＵ４１の作業領域として機能すると共に、データを一時的に記憶することができる。
【００４２】
ＲＯＭ４３は、各種プログラム及び各種データを格納することができる。具体的には、ＲＯＭ４３には、組合せ情報テーブル４４が格納されている。
【００４３】
組み合わせ情報テーブル４４には、複合機１の実行可能な機能が、それぞれ、互いに組み合わせられるか否かが記録されている。詳細については図２を参照して後述する。
【００４４】
組み合わせ情報テーブル４４について、図２を参照して説明する。図２は、ＲＯＭ４３が記憶している組み合わせ情報テーブル４４の一例を説明するための図である。図２に示すように、組み合わせ情報テーブル４４は、複合機１が搭載している各機能間の組み合わせが可能か不可能かを示している。なお、図２中では、組み合わせ可能なものを“○”、組み合わせ不可能なものを“×”として表している。例えば、図２の組み合わせ情報テーブル４４は、集約機能と用紙にページ番号を付すページ付け機能とは組み合わせが可能であることを示しており、集約機能とイメージ合成機能とは組み合わせが不可能であることを示している。なお、図２には、コピー機能に含まれる機能のみを示すが、組み合わせ情報テーブル４４としては、送信機能及びドキュメントボックス機能等のコピー機能以外の機能群に含まれる機能の組み合わせを表すテーブルも含まれる。
【００４５】
（1-2）設定画面の表示及び機能指定
表示部３３ａにて表示される画面及びそれを介した機能指定について説明する。
【００４６】
まず、ユーザによる操作が開始されるときに、上述のユーザ認証部４１ｄによるユーザ認証が行われる。
【００４７】
ユーザ認証が終了すると、機能指定部４１ａは、操作盤３２等が受け付けたユーザからの指示に基づいて、実行される機能を指定する。
【００４８】
図４のフローチャートに沿って、機能指定の概要を説明する。まず、機能指定部４１ａは、コピー、送信、又はボックスのうち、ユーザに押下された機能選択キー３４ａに対応する機能群を、実行される機能群として指定する（ステップＳ１１でＹｅｓ→Ｓ１３）。例えば、コピー選択キー３５が押下されれば、機能指定部４１ａはコピー機能を指定する。機能選択キー３４ａが押下されなければ、デフォルトで設定されている機能（本形態ではコピー機能）が指定される（Ｓ１１でＮｏ→Ｓ１２）。
【００４９】
機能指定部４１ａはさらに、後述の設定画面中に表示されたキーのうち、押下されたキーに対応する機能を指定することで、詳細な機能指定を行う（Ｓ１４）。以上の処理はスタートキー３４ｃが押下されるまで継続される（Ｓ１５でＮｏ）。スタートキー３４ｃが押下されると、押下された時点で指定されていた機能が実行される（Ｓ１５でＮｏ→終了）。
【００５０】
また、ユーザ認証が終了し、上述のステップＳ１２又はＳ１３で機能群が指定されると、設定画面制御部４５は、上述のステップＳ１２又はＳ１３で機能群が指定されると、指定された機能群に属する機能について、より詳細な設定を受け付けるための画面（設定画面）を、表示部３３ａに表示させる。具体的には、設定画面制御部４５は、図５のフローチャートに沿って表示部３３ａを制御する。また、設定画面の例として、画面５１〜５５、並びに５２１、５２２、５２２ａ、５３１、５４１、及び５４２を図示する（図７〜図１７）。
【００５１】
機能群が指定されると、図７に示すように、表示部３３ａは、表示制御部４１ｃの制御下で、設定画面領域Ａ１と履歴画面領域Ｂ１とを表示する。
【００５２】
設定画面領域Ａ１には、ユーザから各種機能の設定を受け付ける設定画面等が表示される。設定画面は、機能のより具体的な設定を受け付けることができる画面である。本実施形態では、設定画面は、ユーザからの入力を受け付けるためのソフトキーを含み、このソフトキーを介して機能の設定を受け付けるようになっている。なお、設定画面領域Ａ１に一度に表示される設定画面は１つである。
【００５３】
履歴画面領域Ｂ１には、履歴画面（図７等には、“Ｂ２”として示す）が新しい順に表示される。つまり、履歴画面と設定画面とは、表示部３３ａに同時に表示され得る。履歴画面の詳細については、後述する。
【００５４】
ここで、コピー選択キー３５が押下されてステップＳ１３でコピー機能が指定された場合を例に、具体的な設定画面について説明する。
【００５５】
コピー機能が指定されると、図７に示すように、設定画面領域Ａ１にはまず、コピー機能についての現状の設定値の概要を示す“簡易設定”画面５１が表示される。“簡易設定”画面５１は、用紙サイズの変更、印刷濃度の変更、両面原稿読み取り、両面印刷、画像の用紙上での拡大（若しくは縮小）、ステープル等の後処理、用紙上での画像の集約等、比較的頻繁に指定される機能の設定値と共に、これらの機能の設定値を変更するためのキーを含む。なお、本実施形態では、コピー機能のデフォルトは、用紙サイズは“自動”、原稿は“片面”、用紙への印刷は“片面”、拡大率は“１００％”、後処理は“なし”、集約は“なし”になっている。
【００５６】
設定画面領域Ａ１において、簡易設定画面５１の下方にはタブ（Ｔ１〜Ｔ５）が表示されている。これらのタブはそれぞれ異なる設定画面に対応しており、タブが押下されると、設定画面制御部４５は、押下されたタブに又は押下されたソフトキーに対応する設定画面を、設定画面領域Ａ１に表示させるようになっている（Ｓ２２でＹｅｓ→Ｓ２３）。
【００５７】
例えば、“原稿／用紙／仕上げ”タブＴ２が押下されると、図８に示す“原稿/用紙/仕上げ”画面５２が表示される。この画面には、“特殊原稿”、“用紙サイズ”、“仕上げ”の３つのキーＫ１〜Ｋ３が含まれる。
【００５８】
ここで、例えば“特殊原稿”キーＫ１が押下されると、設定画面制御部４５は、設定画面領域Ａ１に、“特殊原稿”画面５２１を表示させる（図９）。“特殊原稿”画面５２１は、“サイズ混載”、“不定形”の２つのキーＫ４及びＫ５が含まれる。ここで“サイズ混載”キーＫ４が押下されると、機能指定部４１ａは、“サイズ混載”機能を、実行する機能として指定する。“特殊原稿”画面５２１の下方にはタブＴ１〜Ｔ５は表示されず、代わりに、“戻る”キーＲ１が表示される。このキーＲ１が押下されると、設定画面制御部４５は、設定画面領域Ａ１に、１つ前に表示されていた画面、すなわち“原稿/用紙/仕上げ”画面５２を表示させる（Ｓ２４でＹｅｓ→Ｓ２５）。
【００５９】
一方、図８の“原稿／用紙／仕上げ”画面５２において、“仕上げ”キーＫ３が押下されると、設定画面制御部４５は設定画面領域Ａ１に、“仕上げ”画面５２２を表示させる（図１０）。“仕上げ”画面５２２には“ステープル”及び“パンチ”の２つのキーＫ７〜Ｋ８が含まれる。“仕上げ”画面５２２も、“戻る”キーＲ２を含む。このキーＲ２が押下されると、設定画面制御部４５は、設定画面領域Ａ１に、１つ前に表示されていた画面、すなわち“原稿/用紙/仕上げ”画面５２を表示させる。
【００６０】
そして、設定画面制御部４５は、設定画面領域Ａ１に、ステープルのより具体的な設定を受け付ける“ステープル”画面５２２ａを表示させる（図１１）。具体的には、画面５２２ａには、ステープルの位置及び向きの設定を受け付けるキーＫ９〜Ｋ１２が表示される。機能指定部４１ａは、これらのキーの押下に応じて、ステープル機能の指定を行う。“ステープル”画面５２２ａも、“戻る”キーＲ３を含む。このキーＲ２が押下されると、設定画面制御部４５は、設定画面領域Ａ１に、１つ前に表示されていた画面、すなわち“仕上げ”画面５２を表示させる。
【００６１】
また、“編集／加工”タブＴ３が押下されると、設定画面制御部４５は設定画面領域Ａ１に“編集／加工”画面５３を表示させる（図１２）。“編集／加工”画面５３には“カラー加工”、“とじしろ”、“画像編集”、“文字付加”の４つのキーＫ１３〜１６が含まれる。
【００６２】
ここで、例えば画像編集キーＫ１５が押下されると、設定画面制御部４５は設定画面領域Ａ１に“画像編集”画面５３１を表示させる（図１３）。“画像編集”画面５３１は、“イメージ合成”、“枠消し”の２つのキーＫ１７〜１８を含む。この画面５３１中でいずれかのキーが押下されると、そのキーに対応する機能が機能指定部４１ａにより指定される。例えば、イメージ合成キーＫ１７が押下されれば、イメージ合成機能が実行される機能として指定される。“画像編集”画面５３１も、“戻る”キーＲ４を含む。このキーＲ４が押下されると、設定画面制御部４５は、設定画面領域Ａ１に、１つ前に表示されていた画面、すなわち“編集／加工”画面５３を表示させる。
【００６３】
また、図示はしないが、図１２の“編集／加工”画面５３の文字付加キーＫ１６が押下されると、新たな設定画面が設定画面領域Ａ１に表示される。この設定画面には、文字付加機能に含まれる“ページ付け”、“日付挿入”、“機密管理番号挿入”等の機能を設定するためのキーが含まれる。
【００６４】
“画面／集約／分割”タブＴ４が押下されると、設定画面制御部４５は、設定画面領域Ａ１に、“両面／集約／分割”画面５４を表示させる（図１４）。この画面には、原稿の“片面”を読み取るか“両面”を読み取るかをユーザに選択させるためのキーＫ２０及びＫ２１を含むと共に、用紙に対して“片面”、“両面”、“片面集約”、又は“両面集約”のいずれで印刷するかをユーザに選択させるキーＫ２２〜Ｋ２５、“小冊子”キーＫ２６及び“分割”キーＫ２７等を備える。
【００６５】
仮に“片面集約”キーＫ２４又は“両面集約”キーＫ２５が押下されると、設定画面制御部４５は、設定画面領域Ａ１に、“集約”画面５４１を表示させる（図１５）。“集約”画面５４１には、集約数（用紙１頁に原稿何頁を印刷するか）及び用紙上での画像の配置等を設定するためのキーＫ２８〜Ｋ３１を含む。“集約”画面５３１も、“戻る”キーＲ５を含む。このキーＲ５が押下されると、設定画面制御部４５は、設定画面領域Ａ１に、１つ前に表示されていた画面、すなわち“両面／集約／分割”画面５４を表示させる。
【００６６】
また、図１４の“両面／集約／分割”画面５４中の“小冊子”キーＫ２６が押下されると、設定画面制御部４５は、設定画面領域Ａ１に、小冊子機能についての詳細な条件をユーザに選択させるための“小冊子”画面５４２を表示させる（図１６）。“小冊子”画面５４２は、小冊子の見開き方向等をユーザに選択させるためのキーＫ３２及びＫ３３を含む。これらのキーＫ３２及びＫ３３の押下に応じて、機能指定部４１ａにより小冊子機能の詳細が設定される。“小冊子”画面５３２も、“戻る”キーＲ５を含む。このキーＲ５が押下されると、設定画面制御部４５は、設定画面領域Ａ１に、１つ前に表示されていた画面、すなわち“両面／集約／分割”画面５４を表示させる。
【００６７】
また、“変倍”タブＴ５が押下されると、設定画面制御部４５は、設定画面領域Ａ１に、“変倍”画面５５を表示させる（図１７）。“変倍”画面５５には、縮小率をユーザから受け付けるためのキー群Ｋ３４と、拡大率を受け付けるためのキー群Ｋ３５とが表示される。
【００６８】
また、履歴画面Ｂ２のいずれかが押下されると、設定画面制御部４５は、押下された履歴画面の示す設定画面を、設定画面領域Ａ１に表示させる（図５のステップＳ２６でＹｅｓ→Ｓ２７）。
【００６９】
設定画面制御部４５は、以上のように、スタートキー３４ｃが押下されるまで（Ｓ２８でＹｅｓ）、設定画面領域Ａ１の表示を制御する。
【００７０】
以上の説明から明らかなように、ユーザの「操作」を受け付ける（この「操作」が受け付けられることにより、設定画面が切り換えられる）切換受付部としては、ソフトキー又はハードキー等が挙げられる。また、設定画面制御部４５は、１回の操作毎に画面を１回切り換えるようになっている。
【００７１】
（1-3）履歴画面の表示
履歴画面制御部４６は、履歴記憶部２５に記憶された履歴に含まれる設定画面から、表示すべき画面を、履歴画面として履歴画面領域Ｂ１に表示させる。具体的な処理は、図６のフローチャートに示す通りである。
【００７２】
なお、「履歴画面」とは、具体的には、設定画面が縮小されたものである。履歴画面は、ユーザがその履歴画面を見て、どの設定画面を表すかを認識できるように表示される。但し、上述したように、機能指定部４１ａは、上述したように設定画面（設定画面領域Ａ１に、ユーザからの入力を受け付けるように表示された状態）が受け付けた入力に基づいて機能指定を行うが、履歴画面Ｂ２が押下されただけでは機能指定を行わない。
【００７３】
（ａ）第一例
次に、履歴画面領域Ｂ１における履歴画面の表示の制御について、具体的に説明する。
【００７４】
履歴画面制御部４６は、図６に示すように、履歴に存在する機能設定画面が、以下の条件１）〜４）：
１）図４のステップＳ１２又はＳ１３にて指定された機能群に属する機能についての設定画面である（Ｓ３１）；
２）同一の設定画面が履歴に複数存在する場合は、その中で表示されたタイミングが最新のものである（Ｓ３２及びＳ３３）；及び、
３）その設定画面を表示するには、ユーザにより２以上の操作が行われることが必要である（Ｓ３４）；及び
４）同一の機能群の中でも、指定されている機能と組み合わせ可能な設定画面である（Ｓ３５）。
を満たすか否かを判断し、これらの４つの条件を全て満たす設定画面のみを、履歴画面Ｂ２として、履歴画面領域Ｂ１に表示させる（Ｓ３６）。いずれか１つでも条件を満たさない画面は、履歴画面Ｂ２として表示させない（Ｓ３７）。
【００７５】
上記１）の条件により、例えばステップＳ１３でコピー機能が指定されたときには、履歴画面Ｂ２として、コピー機能についての設定画面の履歴のみが表示される。
【００７６】
例えば、図１８（ａ）に示すように、送信先設定画面６０、ボックスへの保存時のファイル形式選択画面７０、及び保存先であるボックスの選択画面７１）が、過去に設定画面領域Ａ１に表示されていたという履歴があるとする。説明の便宜上、送信機能及びボックス機能についての設定画面を、図１８（ａ）では網掛けで示す。ここで、コピー機能が指定されると、履歴画面制御部４６は、履歴画面領域Ｂ１に、送信機能及びボックス機能についての設定画面を表示させない（図１８（ｂ））。
【００７７】
履歴画面制御部４６は、表示されたタイミングがより新しい画面を、履歴画面領域Ｂ１で上方に表示させるが、上記１）の条件により、送信機能及びボックス機能についての設定画面を表示させないので、より古い履歴から、コピー機能についての設定画面が繰り上げて表示される（図１８（ｂ））。本例では履歴画面領域Ｂ１に表示される履歴画面Ｂ２の数は“４”としているが、本発明はこれに限定されるものではない。なお、図１８（ａ）及び図１８（ｂ）、並びに以下の説明で参照する図面では、説明の便宜上、履歴の内容及び履歴画面を簡略化している。
【００７８】
このような構成は、設定画面領域Ａ１に表示されている設定画面がコピー機能に関するものであるとき、履歴画面領域Ｂ１には、コピー機能に関する設定画面のみが表示されるようになっている、と言い換えることができる。
【００７９】
以上の構成により、以下のような利点がある。
【００８０】
すなわち、ユーザが複合機１にコピーを実行させようとしているときは、送信機能及びボックス機能のように、コピーと同時に実行できない機能について、詳細な設定は不要である。このように不要な設定を行うための画面を履歴画面として表示しても、ユーザにとっては何ら有益ではない。
【００８１】
また、履歴画面領域Ｂ１において表示される履歴画面の数は有限であるから、送信機能及びボックス機能について履歴画面が表示されれば、これらの機能についての履歴画面の数だけ、コピー機能に関する履歴画面の表示数が減少する。これに対して、本例の構成によると、コピー機能についての設定が行われている間は、コピー機能についての履歴画面のみが表示されるので、コピー機能に関する履歴画面を多く履歴画面領域Ｂ１に表示させることができる。よって、ユーザにとっては、履歴画面Ｂ２の押下という１の操作で所望の設定画面を設定画面領域Ａ１に表示させることができる確率が高くなるので、利便性が高い。
【００８２】
また、上記２）の条件により、同一の画面を２以上履歴画面として表示させないことで、履歴画面領域Ｂ１に表示される履歴画面Ｂ２の種類が多くなる。つまり、ユーザが選択可能な設定画面の種類も多くなる。その結果、履歴画面Ｂ２の押下という１の操作によって所望の設定画面を設定画面領域Ａ１に表示させることができる確率が高くなるので、ユーザにとっては利便性が高い。
【００８３】
例えば、実際は、設定画面領域Ａ１に、“簡易設定”画面５１→“原稿／用紙／仕上げ”画面５２→“特殊原稿”画面５２１→“原稿／用紙／仕上げ”画面５２→“仕上げ”画面５２２の各画面が、この順に表示されたとする（図１９（ａ））。この場合、履歴画面制御部４６は、Ｓ３２及びＳ３３の判断によれば、“仕上げ”画面５２２、“原稿／用紙／仕上げ”画面５２、“特殊原稿”画面５２１、及び“簡易設定”画面５１がそれぞれ縮小された画面Ｂ５２２、Ｂ５２、Ｂ５２１、及びＢ５１を、この順に、履歴画面領域Ｂ１履歴画面Ｂ２として、に表示する（図１９（ｂ））。
【００８４】
また、ユーザがハードキー又は現在表示されている画面中のソフトキー等に対して操作を１回行っただけで表示可能な画面は、上記３）の条件により、履歴画面Ｂ２としては表示されない。全く操作を行わずに表示可能な設定画面、つまり設定画面領域Ａ１に現在表示中である設定画面についても、同様に、表示されない。１以下の操作により表示される画面が、例え履歴画面Ｂ２として表示されも、この画面を設定画面領域Ａ１に表示させるためにユーザが行う操作の回数は、低減されない。これに対して、通常であれば設定画面領域Ａ１への表示に２以上の操作を要する画面は、履歴画面Ｂ２として表示されることで、ユーザが履歴画面Ｂ２を押下するという１の操作で設定画面領域Ａ１に表示可能となる。よって、操作回数が低減される。以上の説明から明らかなように、上記３）の条件は、“１以下の操作によっては表示されない画面である。”と言い換えることができる。
【００８５】
上記３）の条件による表示制御の具体例を、図２０（ａ）及び図２０（ｂ）を参照して説明する。例えば、現在、“変倍”画面５５（図１７）が、設定画面領域Ａ１に表示されているとする。このとき、履歴が図２０（ａ）に示す通りであるとすると、“原稿／用紙／仕上げ”画面５２等、タブＴ２〜Ｔ５を押下すれば表示される画面は、履歴画面として表示されない。これに対して、“仕上げ”画面５２２及び“画像編集”画面５３１が縮小された履歴画面Ｂ５２２及びＢ５３１等は、１の操作では表示されないので、履歴画面Ｂ２として表示される（図２０（ｂ））。“集約”画面５４１及び“ステープル”画面５２２ａにそれぞれ対応する履歴画面Ｂ５４１及びＢ５２２ａも、同様に表示される。
【００８６】
上記３）の条件による表示制御の他の具体例を、図２１（ａ）及び図２１（ｂ）を参照して説明する。現在、“集約”画面５４１（図１５）が、設定画面領域Ａ１に表示されているとする。このとき、履歴が図２１（ａ）に示す通りであるとする。この場合、上記３）の条件により、“戻る”キーＲ５の押下によって表示される“両面／集約／分割”画面５４は表示されない。その結果、履歴画面領域Ｂ１の表示は図２１（ｂ）の通りとなる。
【００８７】
さらに、上記４）の条件により、履歴画面制御部４６は、現在指定されている機能と組み合わせられる機能についての設定画面のみを、履歴画面として表示させることができる（図６のステップＳ３５でＹｅｓ→Ｓ３６）。つまり、上記１）及び４）の条件を併せると、現在指定されている機能と組み合わせられる機能の設定画面でなければ、履歴画面Ｂ２として表示されないようになっている。
【００８８】
具体的には、図２１（ｂ）に示す履歴表示状態において、設定画面領域Ａ１に現在表示されている“集約”画面５４１（図１５）で、キーＫ２８〜３１のいずれかが押下されたとする。機能指定部４１ａは、キーの押下に応じて集約機能を実行される機能として指定する。図２に示すように、集約機能は、“枠消し”、“イメージ合成”、“小冊子”等の機能と同時に実行不可能である。よって、“枠消し”機能及び“イメージ合成”機能についての設定画面である“画像編集”画面５３１の履歴画面Ｂ５３１、及び“小冊子”画面５４２の履歴画面Ｂ５４２は、履歴画面領域Ｂ１から削除される（図２２）。そして、“画像編集”画面５３１及び“小冊子”画面５４２よりも履歴の古い設定画面が繰り上げられて、履歴画面（“仕上げ”の履歴画面Ｂ５２２、“簡易設定”の履歴画面Ｂ５１）として表示される。さらにタブ及びその他のキーが押下されて、他の画面が設定画面領域Ａ１に表示されたり、他の機能が指定されたりしても、集約機能が指定されている間は、集約機能と組み合わせられない機能についての設定画面の履歴は、履歴画面領域Ｂ１には表示されない。なお、表示されなくなったこれらの履歴画面も、“集約”機能の指定が解除されれば、再び表示される。
【００８９】
現在指定されている機能と組み合わせられない機能については、設定画面領域Ａ１に設定画面が表示されて、ユーザから設定画面を介した入力が行われても、機能指定部４１ａはその機能を指定することができない。これに対して、上記４）の条件により、現在指定されている機能と組み合わせられない機能については履歴画面が表示されずに、指定可能な機能に関する設定画面の履歴のみが表示される。
【００９０】
このように、組み合わせられない、つまり指定できない機能についての設定画面は、履歴画面として表示しないことで、指定可能な機能について、履歴画面の表示数をより多くすることができる。
【００９１】
なお、「組み合わせられない機能」には、ユーザが選択することのできない機能だけでなく、或る機能と組み合わせて設定することはできるが（ユーザが選択することはできるが）、処理を開始すると強制的に固定の設定に変更されるものも含まれる。例えば、複合機１に対する操作において、ユーザが、小冊子作成機能を指定すると共に、小冊子には適さないレイアウトを選択できるようになってはいるものの、複合機１は、実際の印刷時には小冊子機能を優先させ、ユーザが指定したものとは異なる、小冊子作成に適したレイアウトにて印刷を行うことができるようになっている場合等が、これに含まれる。
【００９２】
履歴画面制御部４６は、このようにして、所定数の履歴画面Ｂ２を履歴画面Ｂ１に表示させる処理を、スタートキー３４ｃが押下されるまで繰り返す。
【００９３】
（ｂ）第二例
履歴画面制御部４６は、図６のフローチャートで示す処理に代えて、例えば図２３に示すフローチャートに示す処理を行ってもよい。図２３では、図６で説明したステップと同一の処理を表すステップには同一の符号を付す。そのため、処理の順序とステップの番号とが一致しない箇所がある。図２３のフローチャートは、ステップＳ３６及びＳ３７とステップＳ３５との順序が入れ替わると共に、ステップＳ３５の後にステップＳ３９が挿入されている以外は、図６のフローチャートと同一である。
【００９４】
すなわち、本例では、上記４）の条件を除いた上記１）〜３）の条件を全て満たす設定画面のみが、履歴画面として表示される（Ｓ３６）。そして、上記１）〜３）の条件のいずれかを満たさない設定画面は、履歴画面として表示されない（Ｓ３７）。
【００９５】
但し、上記４）の条件を満たさない設定画面、すなわち、現在指定されている機能と組み合わせられない機能についての設定画面は、グレーアウト表示される（Ｓ３９）。
【００９６】
例えば、図２２について説明したと同様に、図２１（ｂ）に示す履歴表示状態において、集約機能が指定されたとする。このとき、本例では、“画像編集”画面５３１の履歴画面Ｂ５３１及び“小冊子”画面５４２の履歴画面Ｂ５４２は、グレーアウト表示される（図２４、点線で示されるのが、グレーアウト表示された履歴画面）。なお、一旦グレーアウト表示されたこれらの履歴画面も、“集約”機能の指定が解除されれば、元の表示に戻される。
【００９７】
グレーアウト表示された履歴画面Ｂ５４２及びＢ５３１がユーザに押下されても、設定画面制御部４５は、これらの履歴画面に対応する設定画面を設定画面領域Ａ１に表示させない。
【００９８】
このように、指定された機能と組み合わせられない機能についての設定画面がグレーアウト表示されれば、ユーザはどの機能が選択できないかを認識しやすい。
【００９９】
（ｃ）第三例
また、履歴画面制御部４６は、現在操作を行っているユーザと個人ＩＤ又は部門コード等が一致する履歴を、履歴画面領域Ｂ１に表示させるようになっていてもよい。上述したように、ユーザから機能の指定等についての入力を受け付ける前に、ユーザ認証部４１ｄはユーザ認証を行う。履歴画面制御部４６は、そのユーザ認証の結果に基づいて、履歴記憶部２５中の、現在操作中のユーザと同一の個人ＩＤに関連付けられた履歴を、履歴画面として表示することができる。
【０１００】
具体的には、上記（ａ）の処理において、上記１）〜４）の条件に、さらに下記５）の条件、
５）現在操作を行っているユーザと同一の個人ＩＤと関連付けて記憶された画面である。
を加えた５つの条件を全て満たす設定画面を履歴画面として表示させるようになっていてもよい。すなわち、履歴画像制御部４６は、例えばステップＳ３１の前に、“現在操作を行っているユーザと同一の個人ＩＤと関連付けて記憶された画面か？”の判断を行うステップを挿入し、判断が“Ｙｅｓ”ならばＳ３１へ、“Ｎｏ”ならＳ３７に進むようになっていてもよい。また、上記（ｂ）の処理において、上記１）〜３）の条件に、さらに上記５）の条件を加えてもよい。
【０１０１】
各機能の使用頻度は、ユーザ又はユーザの属する部門等によって、一定の傾向を示すことがある。つまり、ユーザ又は部門によって各設定画面の表示頻度が異なることがある。上記５）の条件が存在することで、現在操作中のユーザが頻繁に利用する設定画面の履歴画面が、優先的に履歴画面領域Ｂ１に表示される。よって、ユーザはより少ない操作数で所望の設定画面を設定画面領域Ａ１に呼び出すことができる。
【０１０２】
以上に述べた（ａ）〜（ｃ）の処理において、履歴画面制御部４６は、履歴を表示するか否かを判断する判断部と、表示部３３ａを制御する制御部と、を備える、と表現できる。判断部は、特に、履歴に含まれる設定画面が上記１）〜５）の各条件を満たすかの判断を行う。そして、制御部は、判断部の判断に基づいて表示部３３ａを制御する。
【０１０３】
なお、以上に述べた（ａ）〜（ｃ）の処理では、各条件を全て満たす設定画面でなければ、履歴画面として表示されないものとした。しかし、これ以外にも、上記１）〜５）の少なくとも１つの条件を満たす設定画面が履歴画面として表示されるように、履歴画面制御部４６が設定されていてもよい。履歴画面制御部４６は、特に少なくとも上記１）の条件を満たす設定画面を、履歴画面Ｂ２として履歴画面領域Ｂ１に表示させるようになっていることが好ましい。
【０１０４】
また、以上に述べた（ａ）〜（ｃ）の処理において、１の設定画面で、複数の機能についての設定を受け付けることができるようになっている場合、上記１の設定画面で設定を受け付け可能な機能のうち、少なくとも１つが現在指定されている機能と組合せ可能な機能であれば、上記１の設定画面の履歴画面は表示されるようになっていることが好ましい。
【０１０５】
例えば、“ステープル”機能についての設定を受け付けるキーと“特殊原稿”機能についての設定を受け付けるキーとの両方を備える設定画面が、表示部３３ａに表示され得るとする。“ステープル”機能は“パンチ”機能と組み合わせ不可能であるが、“特殊原稿”機能はパンチ機能と組み合わせ可能である（図２）。“パンチ”機能が機能指定部４１ａにより指定された場合、“ステープル”機能及び“特殊原稿”機能の両方についての上記設定画面の履歴画面は、履歴画面制御部４６の制御により、履歴画面領域Ｂ１に表示される。
【０１０６】
但し、本発明はこれに限定されるものではなく、履歴画面制御部４６が、“現在指定されている機能と組み合わせられない機能についての設定画面を表示させない”ようになっていてもよい。この場合、上述の例のように、ステープル”機能についての設定を受け付けるキーと“特殊原稿”機能についての設定を受け付けるキーとの両方を備える設定画面が存在するとすれば、“パンチ”機能が指定されたとき、“ステープル”機能及び“特殊原稿”機能の両方についての上記設定画面の履歴画面は、履歴画面制御部４６の制御により、履歴画面領域Ｂ１から削除される。
【０１０７】
（1-4）履歴管理
次に、履歴の管理について説明する。上記（1-2）欄にて説明したように、設定画面領域Ａ１には種々の設定画面が表示される。履歴管理部４１ｅは、設定画面領域Ａ１に表示された設定画面を、その時点で操作を行っているユーザの個人ＩＤ又は部門コード等に関連付けて、履歴記憶部２５に記憶させる。
【０１０８】
履歴記憶部２５内には、全ての履歴が記憶される必要はなく、一定期間における履歴が記憶されればよい。この「一定期間」とは、適宜設定可能な期間であり、例えば月、日、時等の時間に基づいて決められてもよいし、記憶される履歴数が決められていてもよい。時間に基づいて決められている場合は、例えば機関が“３時間”と決められていれば、記憶されてから３時間経過した履歴から順に、履歴記憶部２５から削除（クリア）される。また、履歴数が決められている場合は、例えば履歴数が１０件と決められていれば、１０の設定画面が記憶されているときに、さらに設定画面が設定画面領域Ａ１に表示されると、最も古い履歴がクリアされる。
【０１０９】
また、履歴記憶部２５内の履歴は、複合機１がリセットの指示を受けたとき、複合機１の電源が切られたとき、複合機１がスリープ状態に入ったとき、ユーザが複合機１からログアウトしたとき、等のタイミングで、クリアされるようになっていてもよい。
【０１１０】
「リセット」とは、複合機１の設定全体のリセットを意味する場合もあるし、履歴のみについてリセットを意味する場合もある。どちらの場合も、ハードキー又はソフトキー等により構成されるリセット受付部が、複合機１に設けられていればよい。
【０１１１】
電源は、複合機１に設けられた電源ボタン（図示せず）が押下されることで切断される。
【０１１２】
また、スリープ状態への移行は、複合機１が一定時間動作しないことによって自動的に行われてもよいし、複合機１が、ユーザからスリープ状態への移行の指示を受け付けるスリープ受付部（ハードキー又はソフトキー等で構成される）を備えており、スリープへの移行指示が受け付けられたときに、複合機１がスリープ状態に移行するようになっていてもよい。
【０１１３】
また、複合機１は、一旦ログインしたユーザが一定時間操作を行わなければ自動的にこのユーザがログアウトしたものと処理することもできるし、ログアウトを受け付けるログアウト受付部（ハードキー又はソフトキー等により構成される）を備え、ログアウトが実行されるようになっていてもよい。
【０１１４】
以上のような履歴のクリアは、履歴管理部４１ｅの制御により実行可能である。また、履歴記憶部２５をＲＡＭ等の揮発性メモリとすれば、複合機１の電源が切断されたときに、自動的に履歴がクリアされる。
【０１１５】
また、上記（1-3）欄では、履歴記憶部２５に、一定期間に表示された設定画面の履歴が全て記憶されているものとし、この履歴に含まれる設定画面のうち、条件 ２）に該当するものを、履歴画面制御部４６が履歴画面として表示するよう選択するものとした。しかし、本発明はこれに限定されず、履歴管理部４１ｅが、履歴記憶部２５内で重複する履歴のうち古い方を削除するようになっていてもよい。この場合、履歴画面制御部４６は、上記ステップＳ３２及びＳ３３の判断を行う必要がない。
【０１１６】
〔２〕その他の実施形態
（2-1）電気機器
上記〔１〕欄で述べた第一実施形態では、本発明の実施の一形態として複合機を例に挙げたが、本発明はこれに限定されることなく、多様な電気機器に適用することができる。
【０１１７】
この電気機器は、複数の機能を有するものであって、上記複数の機能には互いに組み合わせられない機能が含まれていればよい。
【０１１８】
例えば、コピー機能のみを有する複写機であっても、コピー機能の中には複数の機能が含まれており、これらの複数の機能の中には、互いに組み合わせられない機能が含まれていれば、本発明を好適に適用可能である。
【０１１９】
また、本発明を適用可能な電気機器には、複数の機能をそれぞれ含む複数の機能群を有し、各機能群に含まれる機能は、他の機能群に含まれる機能と組み合わせ不可能な電気機器が含まれる。
【０１２０】
このような電気機器としては、互いに異なる機能を実現可能な機能実行部を備える電気機器が挙げられる。機能実行部の一例として、第一実施形態では、コピー機能、送信機能、及びドキュメントボックス機能の３つの機能群をそれぞれ実行する、画像形成部２２、通信部２３、及びドキュメントボックス２４を挙げた。これらの機能実行部はそれぞれ、他の機能実行部と同時に動作することができない。なお、電気機器が実行可能な機能は、第一実施形態で挙げたものに限定されない。すなわち、機能実行部の構成は、画像形成部２２等に限定されるものではない。
【０１２１】
また、このような電気機器において、上記複数の機能群のうち、少なくとも１の機能群中に、同一の機能群に属する他の機能と組み合わせ不可能な機能が存在する電気機器が含まれることが好ましい。
【０１２２】
上記〔１〕欄では、コピー機能を主に挙げて、同一の機能群中に含まれる機能の組合せについて説明したが、勿論、送信機能に含まれる機能に、送信機能中の他の機能と組合せ不可能な機能が存在してもよい。ドキュメントボックスについても同様である。また、コピー機能、送信機能、及びドキュメントボックス機能のうち、いずれか１つの機能群が、同一の機能群内の他の機能と組み合わせられない機能を含んでいればよい。つまり、第一実施形態において、送信機能に含まれる機能は、全て組合せ可能となっていてもよい。
【０１２３】
（2-2）  履歴画面の制御
電気機器は、表示部を備え、表示部には、各機能の設定を受け付ける設定画面と、表示部が表示した画面の履歴とが表示されるようになっていればよい。
【０１２４】
第一実施形態では、履歴として記憶される画面として、設定画面のみを挙げた。しかし、これに限らず、表示部には、他の種々の画面の履歴が記憶されるようになっていてもよい。
【０１２５】
また、第一実施形態では、履歴画面として、設定画面を縮小した画面が表示されるものとしたが、本発明はこれに限定されるものではない。各画面の内容をユーザが認識できるように、その画面の履歴が表示されればよいので、例えば、画面そのものではなく画面名が履歴画面として表示されるようになっていたり、設定画面の表示を適宜省略した画面が履歴画面として表示されるようになっていたりしてもよい。
【０１２６】
また、第一実施形態では、履歴画面領域Ｂ１に表示される履歴画面Ｂ２の数は４つとしたが、本発明はこれに限定されるものではない。すなわち、履歴画面領域Ｂ１に同時に表示される履歴画面Ｂ２の数は適宜設定可能であり、履歴画面領域Ｂ１に“ページ送り”キー等のソフトキーが設けられ、このキーが押下されることで、より下位の履歴画面Ｂ２を表示するように、履歴画面領域Ｂ１の表示が切り換えられるようになっていてもよい。
【０１２７】
また、第一実施形態では、履歴に同一の設定画面が含まれているとき、そのうちの最新のもののみが履歴画面として表示されるものとした。しかし、本発明はこれに限定されない。但し、複数の履歴画面が同時に表示され得るとき、同一の履歴画面の表示数は１とされることが好ましい。なお、「同時に表示される」履歴画面とは、例えば、第一実施形態において、履歴画面領域Ｂ１に表示される４つの履歴画面Ｂ２を指してもよい。また、「同時に表示される」履歴画面とは、上述のページ送りキーにより送られた結果表示される全ての履歴画面を指してもよい。この場合、「同時に表示される」とは、「同一の設定画面に対して表示される」と言い換えてもよい。
【０１２８】
以上、異なる欄に述べた技術を組み合わせて得られる技術、及び、公知の技術をさらに組み合わせて得られる技術も、本発明の技術的範囲に含まれる。
【図面の簡単な説明】
【０１２９】
【図１】本発明の実施の一形態の複合機１の要部構成を示すブロック図。
【図２】上記一形態における組合せ情報テーブル４４を概念的に示す図面。
【図３】操作盤３２を示す平面図。
【図４】機能指定の概要を示すフローチャート。
【図５】設定画面の表示の概要を示すフローチャート。
【図６】履歴画面の表示の概要を示すフローチャート。
【図７】簡易設定画面５１を含む表示画面を示す図面。
【図８】“原稿/用紙/仕上げ”画面５２を含む表示画面を示す図面。
【図９】“特殊原稿”画面５２１を含む表示画面を示す図面。
【図１０】“仕上げ”画面５２２を含む表示画面を示す図面。
【図１１】“ステープル”画面５２２ａを含む表示画面を示す図面。
【図１２】“編集／加工”画面５３を含む表示画面を示す図面。
【図１３】“画像編集”画面５３１を含む表示画面を示す図面。
【図１４】“両面／集約／分割”画面５４を含む表示画面を示す図面。
【図１５】“集約”画面５４１を含む表示画面を示す図面。
【図１６】“小冊子”画面５４２を含む表示画面を示す図面。
【図１７】“変倍”画面５５を含む表示画面を示す図面。
【図１８】（ａ）は、設定画面の表示の履歴の一例を示す図面であり、（ｂ）は、コピー機能が指定されたときの、履歴画面領域Ｂ１の表示内容を示す図面である。
【図１９】（ａ）は、設定画面の表示の履歴の一例を示す図面であり、（ｂ）は、履歴内で重複する設定画面が削除された結果、履歴画面領域Ｂ１に表示される履歴画面Ｂ２を示す図面である。
【図２０】（ａ）は、設定画面の表示の履歴の一例を示す図面であり、（ｂ）は、現時点で表示されている設定画面が“変倍”画面５５であるとき、１の操作で表示されうる設定画面を除いた結果、履歴画面領域Ｂ１に表示される履歴画面Ｂ２の一例を示す図面である。
【図２１】（ａ）は、設定画面の表示の履歴の一例を示す図面であり、（ｂ）は、現時点で表示されている設定画面が“変倍”画面５５であるとき、１の操作で表示されうる設定画面を除いた結果、履歴画面領域Ｂ１に表示される履歴画面Ｂ２の他の例を示す図面である。
【図２２】図２１（ａ）及び（ｂ）に示す状態において、集約機能が指定されたことにより、現在指定されている機能と組合せられない機能についての履歴の表示が削除された結果、履歴画面領域Ｂ１に表示される履歴画面Ｂ２を示す図面である。
【図２３】履歴表示制御の他の例を示すフローチャートである。
【図２４】図２２と同条件下において、図２３に示すフローチャートにより表示される、履歴画面Ｂ２を示す図面である。
【符号の説明】
【０１３０】
１    複合機（電気機器）
２１  原稿読取部
２２  画像形成部
２３  通信部
２４  ドキュメントボックス
２５  履歴記憶部
３１  カード読取部３１
３２  操作盤３２
４１  ＣＰＵ
４２  ＲＡＭ
４３  ＲＯＭ
【図１】
2009182915.tif 000003
【図２】
2009182915.tif 000004
【図３】
2009182915.tif 000005
【図４】
2009182915.tif 000006
【図５】
2009182915.tif 000007
【図６】
2009182915.tif 000008
【図７】
2009182915.tif 000009
【図８】
2009182915.tif 000010
【図９】
2009182915.tif 000011
【図１０】
2009182915.tif 000012
【図１１】
2009182915.tif 000013
【図１２】
2009182915.tif 000014
【図１３】
2009182915.tif 000015
【図１４】
2009182915.tif 000016
【図１５】
2009182915.tif 000017
【図１６】
2009182915.tif 000018
【図１７】
2009182915.tif 000019
【図１８】
2009182915.tif 000020
【図１９】
2009182915.tif 000021
【図２０】
2009182915.tif 000022
【図２１】
2009182915.tif 000023
【図２２】
2009182915.tif 000024
【図２３】
2009182915.tif 000025
【図２４】
2009182915.tif 000026